【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
現金自動預払機のための現金捕捉動作阻止アセンブリであって、
紙幣払出面外かつ通貨払出器シャッタと前記現金自動預払機の差出器領域の差出器ベルトとの間に装着され、かつ一対の差出器ベルトと同じ垂直面に装着される第１のセンサであり、一対の差出器ベルトの差出器ベルト間に挿入される第１の物体を検出するために動作可能である、前記第１のセンサと、
前記差出器領域に前記紙幣払出面外に装着され、かつ前記一対の差出器ベルトと同じ前記垂直面に装着されない第２のセンサであり、紙幣が紙幣払出動作を経るにつれて前記紙幣を検出するために動作可能である、前記第２のセンサと、
前記第１および第２のセンサから物体検出信号を受信するための制御回路とを備え、前記アセンブリが、前記第１および第２のセンサが前記現金自動預払機に装着され、そして前記第１のセンサが第１の物体を検出すると、
前記第１のセンサによる前記第１の物体の前記検出前の所定の時限であり、紙幣払出動作中の前記第２から前記第１のセンサへの紙幣の横動のための時間を包含するように決定される、前記時限内に前記第２のセンサが第２の物体を既に検出していたならば、前記制御回路が、通常の紙幣払出が発生したと、かつ前記第１および第２の物体が各々前記紙幣から成ると判定し、
前記第１のセンサによる前記第１の物体の前記検出前の前記所定の時限内に前記第２のセンサが前記第２の物体を既に検出していなかったならば、前記制御回路が、前記第１のセンサによって検出される前記第１の物体が潜在的に現金捕捉装置であると判定し、そして前記制御回路が前記アセンブリの警報状態を開始する、
ように動作可能である、アセンブリ。
【請求項２】
前記第１および第２のセンサが赤外線センサから成る、請求項１に記載の現金捕捉動作阻止アセンブリ。
【請求項３】
前記第１のセンサが、前記差出器領域の中央の一対の差出器ベルトと同じ前記垂直面に装着される、請求項１に記載の現金捕捉動作阻止アセンブリ。
【請求項４】
追加の第１のセンサが、現金払出器シャッタと差出器の前記差出器ベルトとの間で前記差出器領域の各他の一対の差出器ベルトと同じ前記垂直面に装着され、かつそれらのそれぞれの一対の差出器ベルト間に挿入される物体を検出するために動作可能である、請求項３に記載の現金捕捉動作阻止アセンブリ。
【請求項５】
前記制御回路が、現金自動預払機に設置されると前記現金自動預払機の部品に制御信号を送信するための出力、およびそこから信号を受信するための入力を備える、請求項１に記載の現金捕捉動作阻止アセンブリ。
【請求項６】
現金自動預払機制御回路が、前記第１および第２のセンサから物体検出信号を受信するための前記制御回路を備える、請求項１に記載の現金捕捉動作阻止アセンブリ。
【請求項７】
現金自動預払機のための現金捕捉動作阻止アセンブリであって、
紙幣払出面外かつ通貨払出器シャッタと前記現金自動預払機の差出器領域の差出器ベルトとの間に装着するための、かつ一対の差出器ベルトと同じ垂直面に装着するための第１のセンサであり、一対の差出器ベルトの差出器ベルト間に挿入される第１の物体を検出するために動作可能である、前記第１のセンサを備える第１の部品と、
前記差出器領域に前記紙幣払出面外に装着するための、かつ前記一対の差出器ベルトと同じ前記垂直面に装着しないための第２のセンサであり、紙幣が紙幣払出動作を経るにつれて前記紙幣を検出するために動作可能である、前記第２のセンサを備える第２の部品と、
前記第１および第２のセンサから物体検出信号を受信するための制御回路を備える第３の部品とから成る部品のキットを備え、前記部品のキットが現金自動預払機に設置される場合、前記アセンブリが、前記第１のセンサが第１の物体を検出すると、
前記第１のセンサによる前記第１の物体の前記検出前の所定の時限であり、紙幣払出動作中の前記第２から前記第１のセンサへの紙幣の横動のための時間を包含するように決定される、前記時限内に前記第２のセンサが第２の物体を既に検出していたならば、前記制御回路が、通常の紙幣払出が発生したと、かつ前記第１および第２の物体が各々前記紙幣から成ると判定し、
前記第１のセンサによる前記第１の物体の前記検出前の前記所定の時限内に前記第２のセンサが前記第２の物体を既に検出していなかったならば、前記制御回路が、前記第１のセンサによって検出される前記第１の物体が潜在的に現金捕捉装置であると判定し、そして前記制御回路が前記アセンブリの警報状態を開始する、
ように動作可能である、アセンブリ。
【請求項８】
前記第１および第２のセンサが赤外線センサから成る、請求項７に記載の現金捕捉動作阻止アセンブリ。
【請求項９】
前記第１のセンサが、前記差出器領域の中央の一対の差出器ベルトと同じ前記垂直面に装着するためである、請求項７に記載の現金捕捉動作阻止アセンブリ。
【請求項１０】
前記キットが、１つまたは複数の追加部品であり、現金払出器シャッタと差出器の前記差出器ベルトとの間で前記差出器領域の他の一対の差出器ベルトと同じ前記垂直面に装着するための追加の第１のセンサを備える、前記追加部品を備える、請求項９に記載の現金捕捉動作阻止アセンブリ。
【請求項１１】
前記制御回路が、現金自動預払機に設置されると前記現金自動預払機の部品に制御信号を送信するための出力、およびそこから信号を受信するための入力を備える、請求項７に記載の現金捕捉動作阻止アセンブリ。
【請求項１２】
前記第３の部品が、前記制御回路のためのハウジングを備える、請求項７に記載の現金捕捉動作阻止アセンブリ。
【請求項１３】
現金自動預払機であって、現金捕捉動作阻止アセンブリを備え、前記アセンブリが、
紙幣払出面外かつ通貨払出器シャッタと前記現金自動預払機の差出器領域の差出器ベルトとの間に位置付けられ、かつ一対の差出器ベルトと同じ垂直面に装着される第１のセンサであり、一対の差出器ベルトの差出器ベルト間に挿入される第１の物体を検出するために動作可能である、前記第１のセンサと、
前記差出器領域に前記紙幣払出面外に位置付けられ、かつ前記一対の差出器ベルトと同じ前記垂直面に装着されない第２のセンサであり、紙幣が紙幣払出動作を経るにつれて前記紙幣を検出するために動作可能である、前記第２のセンサと、
前記第１および第２のセンサから物体検出信号を受信するための制御回路とを備え、前記アセンブリが、前記第１のセンサが第１の物体を検出すると、
前記第１のセンサによる前記第１の物体の前記検出前の所定の時限であり、紙幣払出動作中の前記第２から前記第１のセンサへの紙幣の横動のための時間を包含するように決定される、前記時限内に前記第２のセンサが第２の物体を既に検出していたならば、前記制御回路が、通常の紙幣払出が発生したと、かつ前記第１および第２の物体が各々前記紙幣から成ると判定し、
前記第１のセンサによる前記第１の物体の前記検出前の前記所定の時限内に前記第２のセンサが前記第２の物体を既に検出していなかったならば、前記制御回路が、前記第１のセンサによって検出される前記第１の物体が潜在的に現金捕捉装置であると判定し、そして前記制御回路が前記アセンブリの警報状態を開始する、
ように動作可能である、現金自動預払機。
【請求項１４】
前記第１および第２のセンサが赤外線センサから成る、請求項１３に記載の現金自動預払機。
【請求項１５】
前記第１のセンサが、前記差出器領域の中央の一対の差出器ベルトと同じ前記垂直面に位置付けられる、請求項１３に記載の現金自動預払機。
【請求項１６】
少なくとも１つの追加の第１のセンサが、現金払出器シャッタと差出器の前記差出器ベルトとの間で前記差出器領域の各他の一対の差出器ベルトと同じ前記垂直面に位置付けられる、請求項１５に記載の現金自動預払機。
【請求項１７】
前記第１のセンサが、前記現金自動預払機の現金自動預払機構造に取り付けられる第１の装着ビームに装着される、請求項１３に記載の現金自動預払機。
【請求項１８】
前記第２のセンサが、前記現金自動預払機の現金自動預払機構造に取り付けられる第２の装着ビームに装着される、請求項１３に記載の現金自動預払機。
【請求項１９】
前記制御回路が、前記現金自動預払機の部品に制御信号を送信するための出力、およびそこから信号を受信するための入力を備える、請求項１３に記載の現金自動預払機。
【請求項２０】
現金自動預払機制御回路が、前記第１および第２のセンサから物体検出信号を受信するための前記制御回路を備える、請求項１３に記載の現金自動預払機。
【請求項２１】
現金自動預払機の差出器領域への現金捕捉装置の挿入を検出するための方法であって、現金捕捉動作阻止アセンブリを設けることを含み、前記アセンブリが、
紙幣払出面外かつ通貨払出器シャッタと前記現金自動預払機の差出器領域の差出器ベルトとの間に装着され、かつ一対の差出器ベルトと同じ垂直面に装着される第１のセンサであり、一対の差出器ベルトの差出器ベルト間に挿入される第１の物体を検出するために動作可能である、前記第１のセンサと、
前記差出器領域に前記紙幣払出面外に装着され、かつ前記一対の差出器ベルトと同じ前記垂直面に装着されない第２のセンサであり、紙幣が紙幣払出動作を経るにつれて前記紙幣を検出するために動作可能である、前記第２のセンサと、
前記第１および第２のセンサから物体検出信号を受信し、そして結果を決定するための制御回路とを備え、
前記方法が、
前記第１のセンサによって第１の物体を検出することと、
前記第１のセンサによる前記第１の物体の前記検出前の所定の時限であり、紙幣払出動作中の前記第２から前記第１のセンサへの紙幣の横動のための時間を包含するように決定される、前記時限内に前記第２のセンサが第２の物体を既に検出していたならば、前記制御回路が、通常の紙幣払出が発生したと、かつ前記第１および第２の物体が各々前記紙幣から成ると判定し、
前記第１のセンサによる前記第１の物体の前記検出前の前記所定の時限内に前記第２のセンサが前記第２の物体を既に検出していなかったならば、前記制御回路が、前記第１のセンサによって検出される前記第１の物体が潜在的に前記現金捕捉装置であると判定し、そして前記制御回路が前記アセンブリの警報状態を開始することと、
を更に含む、方法。
【請求項２２】
前記方法が、
前記制御回路に、前記現金自動預払機の部品に制御信号を送信するための出力、およびそこから信号を受信するための入力を設け、したがって前記制御回路によって前記部品を制御すること、
を更に含む、請求項２１に記載の方法。
【請求項２３】
請求項２１〜２２の何れか１項に記載の方法の各ステップをコンピュータに実行させる、コンピュータ・プログラム。